(57)【要約】【課題】ワンタッチピアスの受け金具に取り付けられる樹脂カバーを、取り付けや取り外しが簡単で、一度取り付けられたら不用意に外れることがない樹脂カバーを提供して、金属アレルギーで悩む人々が金属アレルギー問題から解放されることを目的とする。【解決手段】ワンタッチピアスの受け金具に冠設自在となる樹脂カバーであって、樹脂カバー全体を可撓性を有する樹脂素材で袋状に形成し、樹脂カバーの正面形状を略円形状に形成し、この正面円形状を呈する樹脂カバーの中央部付近にピアスポストを挿入するための中央孔を形成し、袋状を呈する樹脂カバーの開口部と前記中央孔間に延長首部を形成したことを特徴とするピアスポストの受け金具の樹脂カバーである。【選択図】図１
0003162442.tif 000002
【実用新案登録請求の範囲】
【請求項１】
ワンタッチピアスの受け金具に冠設自在となる樹脂カバーであって、樹脂カバー全体を可撓性を有する樹脂素材で袋状に形成し、樹脂カバーの正面形状を略円形状に形成し、この正面円形状を呈する樹脂カバーの中央部付近にピアスポストを挿入するための中央孔を形成し、袋状を呈する樹脂カバーの開口部と前記中央孔間に延長首部を形成したことを特徴とするピアスポストの受け金具の樹脂カバー。
【請求項２】
中央孔の内周壁側に、一対の折り返し周縁部を形成したことを特徴とする請求項１記載のピアスポストの受け金具の樹脂カバー。
【考案の詳細な説明】
【技術分野】
【０００１】
本考案は、全体を略リング状に形成した、いわゆるワンタッチピアスにおいて、耳たぶに形成したピアスホールに挿通したピアスポストの先端を、ピアスホールから抜け出さないように係止するための受け金具に取り付けられる樹脂カバーに関する。
【背景技術】
【０００２】
従来より、耳たぶへの装着保持及び取り外しの容易性に優れるワンタッチピアスが、装身具の一つとして広く普及している。
図４にワンタッチピアス１の要部を示すが、このワンタッチピアス１は、全体がリング状を呈し、その一部に切り欠き部を形成し、ワンタッチピアスの一方の切り欠き部の先端にはピアスポスト２が取り付けられ、ワンタッチピアスの他方の切り欠き部の先端には、前記ピアスポスト２の先端が嵌り込む嵌入孔３を備えた受け金具４が、バネヒンジ５を介して転動可能な状態でセットされており、バネヒンジ５を転動させて受け金具４をピアスポスト２の先端にワンタッチで嵌入保持させたり、あるいはバネヒンジ５を反対側に転動させてワンタッチで受け金具４とピアスポスト２との嵌入保持状態を解消できるようにしたものである。
【先行技術文献】
【特許文献】
【０００３】
【特許文献１】実用新案登録第３０２７３０７号公報
【特許文献２】実用新案登録第３１５２９７８号公報
【特許文献３】特開２００１−８７０１４号公報
【考案の概要】
【考案が解決しようとする課題】
【０００４】
このようなワンタッチピアス１において、ピアス装着者に金属アレルギーを起こさせない目的で、ピアスポストの素材を樹脂製で形成したり、あるいは樹脂をコーティングすることが広く行われてきた。
【０００５】
同様の目的から、受け金具にも同様の対策が講じられてきたが、受け金具にはある程度の剛性や強度が必要となるため、どうしてもその素材は金属製としなければならないという事情があった。
そのため金属製（チタン合金などの金属アレルギー問題を起こさない素材は除く）の受け金具に、装着者の肌が直接触れないようにするため樹脂カバーを取り付けることがあったが、その取り付けや取り外しが簡単で、一度取り付けられたら不用意に外れない樹脂カバーの開発が強く望まれてきたが、未だ使いやすく、製造コストの低廉な樹脂カバーが提案されていないという問題があった。
本考案は、上記の問題を解決した樹脂カバーを提供せんとするものである。
【課題を解決するための手段】
【０００６】
前記課題を解決するために、請求項１に記載の考案は、ワンタッチピアスの受け金具に冠設自在となる樹脂カバーであって、樹脂カバー全体を可撓性を有する樹脂素材で袋状に形成し、樹脂カバーの正面形状を略円形状に形成し、この正面円形状を呈する樹脂カバーの中央部付近にピアスポストを挿入するための中央孔を形成し、袋状を呈する樹脂カバーの開口部と前記中央孔間に延長首部を形成したことを特徴とするピアスポストの受け金具の樹脂カバーである。
【０００７】
請求項２に記載の考案は、中央孔の内周壁側に、一対の折り返し周縁部を形成したことを特徴とする請求項１記載のピアスポストの受け金具の樹脂カバーである。
【考案の効果】
【０００８】
上記した請求項１に係るピアスポストの受け金具の樹脂カバーは、樹脂カバー全体を可撓性を有する樹脂素材で袋状に形成し、樹脂カバーの正面形状を略円形状に形成し、この正面円形状を呈する樹脂カバーの中央部付近にピアスポストを挿入するための中央孔を形成し、袋状を呈する樹脂カバーの開口部と前記中央孔間に延長首部を形成したため、樹脂カバーが可撓性に富み、受け金具に簡単に冠設することができ、一旦冠設すると、樹脂カバーは原形に回復して密嵌状に受け金具に取り付けられ、受け金具の嵌入孔は、樹脂カバーの中央孔と重なり合うため、ピアスポストの挿入にまったく支障がなく、ワンタッチピアスの装着者の肌に受け金具を触れさせないようにすることができるという効果を発揮する。またこの樹脂カバーは、製造が簡単であるため、製造コストも低廉となるという効果を発揮する。
【０００９】
また請求項２は、中央孔の内周壁側に、一対の折り返し周縁部を形成したため、受け金具の嵌入孔の内周壁がワンタッチピアスの装着者の肌に触れなくなるという効果を発揮する。
【図面の簡単な説明】
【００１０】
【図１】本考案に係る樹脂カバーの斜視図である。
【図２】前図のＡ−Ａ線断面図である。
【図３】本考案に係る樹脂カバーを、受け金具に冠設する状態の作業説明図である。
【図４】本考案に係る樹脂カバーを使用したワンタッチピアスの、使用状態を示す要部説明図である。
【考案を実施するための形態】
【００１１】
以下添付図面に基づいて、本考案樹脂カバーの一実施の形態を詳説するが、本考案はこれらの実施の形態に制限されるものではない。
図１に示す樹脂カバー１０は、全体が可撓性に富んだ素材、例えば熱可塑性エラストマー、さらに具体的には熱可塑性ポリウレタンエラストマー（ＴＰＵ）などで形成される。
【００１２】
このように樹脂カバー１０は可撓性に富む高分子物質で形成されるため、ゴムのように柔らかく仕上げられ、外力を加えると容易に変形し、その外力を除くとただちに原形に回復するため、受け金具４に容易に冠設させることができるとともに、一旦冠設されると受け金具４に密着して間単には外れない状態となる。
【００１３】
ワンタッチピアス１は、全体がリング状を呈し、その一部に切り欠き部を形成し、ワンタッチピアスの一方の切り欠き部の先端には棒状のピアスポスト２が取り付けられる。このピアスポストは、ポリカーボネート素材などの合成樹脂、すなわち金属アレルギーを引き起こさない素材で形成されており、ワンタッチピアスの他方の切り欠き部の先端には、前記ピアスポスト２の先端が嵌り込む嵌入孔３を備えた受け金具４が位置している。
【００１４】
この受け金具４は、バネヒンジ５を介して転動可能な状態でセットされており、バネヒンジ５をパチンとスナップを効かせて転動させると、受け金具４の嵌入孔３内にピアスポスト２の先端がワンタッチで嵌入保持され、バネヒンジ５の弾発作用で反対側に戻ることは阻止される。
ついでバネヒンジ５に、一定の押圧力をかけて反対側にパチンとスナップを効かせて転動させると、ワンタッチで受け金具４とピアスポスト２との嵌入保持状態が解消される。
【００１５】
上記のようにしてワンタッチピアス１の装着、又は取り外しが行われるが、金属製の受け金具４に樹脂カバー１０を取り付けるには、まず樹脂カバー１０の開口部１１を受け金具４の先端にあてがい、樹脂カバー１０の延長首部１２を広げながら奥の方へ被せていくと、受け金具４の嵌入孔３位置と、樹脂カバー１０の中央孔１３とが重なり合って正しい位置に樹脂カバーが冠設される。
【００１６】
正しい位置に冠設された樹脂カバー１０は、ワンタッチピアス１の装着者の肌に受け金具４の表面を触れさせない状態となり、仮に装着者が金属アレルギー抗体を持つものであっても、金属アレルギーを引き起こさない結果となる。
【００１７】
本考案の樹脂カバー１０の正面形状は、受け金具４の正面形状に合うように略円形状を呈するように形成され、樹脂カバー１０の中央部付近にピアスポスト２を挿入するための中央孔１３が形成されているため、樹脂カバー１０が受け金具４に正しくセットされると、樹脂カバーの中央孔１３と受け金具の嵌入孔３とが重なり合うようになる。
【００１８】
ついで、樹脂カバーの中央孔１３の内周壁側に、一対の折り返し周縁部１４ａ，１４ｂを形成することも可能であり、この折り返し周縁部１４ａ，１４ｂを形成した場合には、受け金具４の嵌入孔３の内周壁が、装着者の肌に触れることを確実に防ぐことが可能となる。これにより、金属アレルギー問題の、完璧な防御が一層効果的に行えることとなる。
【産業上の利用可能性】
【００１９】
本考案のピアスポストの受け金具の樹脂カバーは、ワンタッチピアスを製造する現場、さらにはワンタッチピアスを使用する現場で利用することが可能であり、その利用範囲は大変広いものとなる。
【符号の説明】
【００２０】
１ …ワンタッチピアス
２ …ピアスポスト
３ …嵌入孔
４ …受け金具
５ …バネヒンジ
１０ …樹脂カバー
１１ …樹脂カバーの開口部
１２ …樹脂カバーの延長首部
１３ …樹脂カバーの中央孔
１４ａ，１４ｂ …樹脂カバーの折り返し周縁部
【図１】
0003162442.tif 000003
【図２】
0003162442.tif 000004
【図３】
0003162442.tif 000005
【図４】
0003162442.tif 000006